(57)【要約】【課題】弱制動と強制動を行うことを可能としてスプ−ルのサミング性能を向上した魚釣用片軸受型リ−ルを提供することである。【解決手段】スプ−ル４の前面には表面が平滑面状で断面側面形状が中心に近づくにつれて前側に膨出するテ−パ形状となっているスプ−ル側部４ｄが形成されている。スプ−ル側部４ｄの裏面には筒状の釣糸巻回胴部が形成されている。スプ−ル側部４ｄの鍔状外周４ｅには複数の凹部４ｉと凸部４ｊが形成されている。上記平滑面状のスプ−ル側部４ｄで弱制動部αが構成され、鍔状外周４ｅの複数の凹部４ｉと凸部４ｊで凹凸形状の強制動部βが構成されている。【選択図】　　　　図１
2004065066.tif 000002
【特許請求の範囲】
【請求項１】
リ−ル本体に設けられた支軸に釣糸が巻回されるスプ−ルを支持し、該スプ−ル側部に平滑面状の弱制動部を備えた魚釣用片軸受型リ−ルにおいて、前記スプ−ルの外周に凹凸形状の強制動部を形成したことを特徴とする魚釣用片軸受型リ−ル。
【請求項２】
前記スプ−ル側部の外周近傍に、他の側部よりも摩擦係数を高めた制動部を形成したことを特徴とする請求項１記載の魚釣用片軸受型リ−ル。
【請求項３】
前記スプ−ルは、リ−ル本体の支軸に着脱可能に取付可能であることを特徴とする請求項１又は２記載の魚釣用片軸受型リ−ル。
【発明の詳細な説明】
【０００１】
【発明の属する技術分野】
本発明は、スプ−ルのサミング性能を改良した魚釣用片軸受型リ−ルに関する。
【０００２】
【従来の技術】
従来、魚釣用片軸受型リ−ルは、リ−ル本体の支軸上に回転支持されたスプ−ルを巻取り駆動ハンドルにて回転させて、該スプ−ルに釣糸を巻回する構成である。
前記片軸受型リ−ルの釣糸の繰出しは、スプ−ルの逆回転により行われる。
また、前記片軸受型リ−ルにおいて、魚が掛かった際におけるスプ−ルの釣糸繰出し回転時に制動力を付与するべく、前記スプ−ルにはサミング操作部が形成されているのが一般的である。
前記サミング操作部は、スプ−ルの外周又は該外周近傍のスプ−ル側面に形成されており、滑らかな表面として滑らせながら弱制動を加えるのが一般的である。
これは、繊細な仕掛を用いている際に、仕掛切断を防ぎながら、必要以上に魚に釣糸を引き出されるのを防ぐ目的で制動操作される。
【０００３】
しかし、前記サミング操作部の構成だと、魚の取り込みの際などに、スプ−ルを充分に停止させておくことが困難であり、スプ−ルを確実に止めることが出来ず、タモ入れに難儀することが多い。
前記の不具合を改善するべく、特開２００２−７８４３５号公報に記載されているように、スプ−ル外周及びスプ−ル側面に凹凸及び貫通孔を形成する構成は公知である。
しかし、前記公報の構成は、実釣時における、サミング操作の際に平滑なサミング操作部が存在しないため、繊細な仕掛を用いた際に、仕掛の切断が発生する恐れがあり、改善が望まれている。
【０００４】
【発明が解決しようとする課題】
解決しようとする問題点は、魚が掛かった際におけるスプ−ルの釣糸繰出し回転時に制動力を付与するべく、スプ−ルの外周又は該外周近傍のスプ−ル側面に滑らかな表面として形成された一般的なサミング操作部の場合、滑らせながら弱制動を加えることで、繊細な仕掛を用いている際に仕掛切断を防ぎながら必要以上に魚に釣糸を引き出されるのを防ぐ目的で形成されているので、前記サミング操作部の構成だと、魚の取り込みの際などに、スプ−ルを充分に停止させておくことが困難であり、スプ−ルを確実に止めることが出来ず、タモ入れに難儀するのが多いことである。
【０００５】
前記の不具合を改善する公知の公報の構成では、実釣時における、サミング操作の際に平滑なサミング操作部が存在しないため、繊細な仕掛を用いた際に、仕掛の切断が発生する恐れがあり、改善が望まれていることである。
【０００６】
本発明の目的は前記欠点に鑑み、実釣時において弱制動と強制動を状況に応じて適宜使い分けすることを可能としてスプ−ルのサミング性能を向上した魚釣用片軸受型リ−ルを提供することである。
【０００７】
【課題を解決するための手段】
上記課題を解決するために、
請求項１に係わる本発明は、リ−ル本体に設けられた支軸に釣糸が巻回されるスプ−ルを支持し、該スプ−ル側部に平滑面状の弱制動部を備えた魚釣用片軸受型リ−ルにおいて、前記スプ−ルの外周に凹凸形状の強制動部を形成したことを要旨とするものである。
請求項２に係わる本発明は、前記スプ−ル側部の外周近傍に、他の側部よりも摩擦係数を高めた制動部を形成したことを要旨とするものである。
請求項３に係わる本発明は、前記スプ−ルは、リ−ル本体の支軸に着脱可能に取付可能であることを要旨とするものである。
【０００８】
【発明の実施の形態】
請求項１の本発明により、魚が掛かった際などのスプ−ル４の釣糸繰出し方向への回転時に制動力を付与する際は、スプ−ル側部４ｄの平滑面状の弱制動部αで制動することで、繊細な仕掛の糸切れを防ぎ、魚の取り込みの際など、スプ−ル４を係止する必要がある時には外周の凹凸部で強制動を行うことが出来ると言ったように、実釣時における様々な状況に対応させることが可能となる。
【０００９】
請求項２の本発明により、スプ−ル側部４ｄの外周近傍に、他部より摩擦係数を高める複数の小孔４ｒからなる制動部を形成かることで、実釣時におけるスプ−ル４の釣糸繰出し回転に、異なる制動力を付与することが出来るので、魚の引きの強さに応じて制動力を調節できるので、操作の幅を持たせることが可能となる。
請求項３の本発明により、スプ−ル４を前側の押しボタン８を内方へ押圧操作することで支軸２から簡単に取り外せるようになっていると、釣り場の状況（例えば実釣時において実際に釣れる魚の平均サイズなど）に応じて、前記第１実施例のスプ−ルと第２〜４実施例のスプ−ルとを適宜選択して、即座にスプ−ルを変更できるので、対応幅や選択肢が多くなり、様々な状況に対応できる。
【００１０】
【実施例】
以下、図示の実施例によって本発明を説明すると、図１から図７は第１実施例で、図１は魚釣用片軸受型リ−ルの正面図、図２は魚釣用片軸受型リ−ルの断面側面図、図３は魚釣用片軸受型リ−ルの分解断面側面図、図４は魚釣用片軸受型リ−ルのスプ−ルを取り外し支持体を一部断面にした断面正面図、図５は魚釣用片軸受型リ−ルのリ−ル本体側の要部断面平面図、図６はスプ−ルの軸受部分の分解斜視図、図７は魚釣用片軸受型リ−ルのスプ−ルを取り外した要部断面正面図である。
【００１１】
魚釣用片軸受型リ−ルは円盤状のリ−ル本体１の中心一側に支軸２の一端２ａが埋設固定されて支軸２の外周にピニオン３が軸方向に移動自在でかつ回転自在に嵌合されると共にスプ−ル４が回転自在に支持されている。
リ−ル本体１の軸孔１ａにはハンドル軸１０が回転自在に嵌合されてハンドル軸１０に回り止め嵌合された駆動歯車１２がピニオン３に噛合されている。
リ−ル本体１の外部に突出されたハンドル軸１０にはハンドル１１が取り付けられている。
ハンドル軸１０の駆動歯車１２位置より前側の細い軸部にクラッチ復帰体１３が軸方向に移動自在でかつ回り止め嵌合されて発条で駆動歯車１２側に押圧付勢されている。
細い軸部の先端外周には軸受１４が嵌合されている。
リ−ル本体１の一側前側縁部には円筒部１ｂが形成されて円筒部１ｂ外周に支持体５が嵌合固定されている。
【００１２】
支軸２にはピニオン３が嵌合された軸部２ｂとスプ−ル４の中心筒状の支持部４ａの中に収容された軸受１５、１６が嵌合される軸部２ｃと先端の周溝２ｄと頭部２ｅとで形成されている。
ピニオン３には歯部３ａと周状の係止溝３ｂと前端外周に正面から見て断面小判形のクラッチ係合部３ｃが形成されている。
係止溝３ｂにはクラッチプレ−ト１７が係止され、クラッチプレ−ト１７は図５のようにリ−ル本体１に植設された支柱１８、１８に支持されて発条１９でスプ−ル４側に付勢されている。
クラッチプレ−ト１７はリ−ル本体１の縦方向にスライド自在に設けられたクラッチレバ−２０の押し下げでリ−ル本体１側に押され、クラッチ復帰体１３の回転で復帰される。
【００１３】
図３のようにスプ−ル４は中心筒状の支持部４ａと支持部４ａより太径の前側筒部４ｂと前側筒部４ｂの内側の凹部４ｃと前端のスプ−ル側部４ｄとスプ−ル側部４ｄ側の鍔状外周４ｅと鍔状外周４ｅの後側の筒状の釣糸巻回胴部４ｆと釣糸巻回胴部４ｆの後側の後壁４ｇと筒部４ｈで形成されている。
鍔状外周４ｅには図１のように複数の凹部４ｉと凸部４ｊが形成されている。上記スプ−ル側部４ｄは、表面が平滑面状で形状は中心に近づくにつれて外側に膨出するテ−パ形状となっている。
上記平滑面状のスプ−ル側部４ｄで弱制動部αが構成され、鍔状外周４ｅの複数の凹部４ｉと凸部４ｊで凹凸形状の強制動部βが構成されている。
スプ−ル側部４ｄの形状によって中心寄りの側部の弱制動部αから外周の凹凸による強制動部βへの指の移行がスム−ズに行える。
【００１４】
中心筒状の支持部４ａは、内部の収納室４ｋの奥部に支軸挿通孔４ｍが開口し、
収納室４ｋ内周に段部４ｎが形成されて軸受１５の前側が度当りされている。収納室４ｋ内で軸受１５と軸受１６の間にはカラ−２１が挾み込まれ、軸受１６の後側の内周にクラッチ係合部材６が嵌合されている。
支持部４ａの後端開口には図３、図６のように支持部４ａに横向きの切欠き４ｏが形成されて一対の断面円弧状の係合片４ｐが対向して設けられ、係合片４ｐ外周に周溝４ｑが形成されている。
切欠き４ｏと係合片４ｐには円板状の抜け止めプレ−ト７が係合されて周溝４ｑに嵌められたＯリング２２で抜け止めされている。
【００１５】
支持部４ａより太径の前側筒部４ｂの内側の支軸挿通孔４ｍより前側の凹部４ｃ内には押しボタン８と支軸２の径方向へ一対のバネ２３で付勢された一対の係止板２４からなる従来周知のワンタッチ式のスプ−ル着脱機構が装着されている。
押しボタン８を内方へ押圧操作すると、支軸２の周溝２ｄに係止されている一対の係止板２４の係止状態が解除されて、支持部４ａ内に軸受１５とカラ−２１と軸受１６とクラッチ係合部材６を保持したまま、スプ−ル４が支軸２から簡単に取り外せるようになっている。
【００１６】
支持体５は筒部５ａの内側に円板状の基板部５ｂが形成されている。
筒部５ａの後端内周には段部で凹部５ｃが形成されてリ−ル本体１の一側前側縁部の円筒部１ｂ外周に嵌合されている。
基板部５ｂの中心には抜け止めプレ−ト７が挿通可能な透孔５ｄと一対の軸受支持孔５ｅ、５ｆと図示しないビス挿通孔が穿設されている。
図示しないビス挿通孔には図６のようにビス２５、２５が挿通されてリ−ル本体１に取り付けられている。
筒部５ａの外周には竿取付部２６が固定されていると共に、透孔５ｄを挾んで反対側の外周に、スプ−ル４の外周方向へ突出する高硬度材料からなる一片の断面円弧状の保護プレ−ト２７がネジ止めされている。
【００１７】
軸受支持孔５ｅ、５ｆの何れか一方にはハンドル軸１０の細い軸部の先端外周に嵌合された軸受１４の外輪が嵌合されている。
支持体５はリ−ル本体１に対して竿取付部２６を上側にしたり下側にして取り付けることが可能である。
【００１８】
クラッチ係合部材６は図３、図６のように支持部４ａの収納室４ｋ内に挿入可能な外径を有し、有底筒状部６ａに横向きの切欠きが形成されて上下に一対のクラッチ係合片６ｂが突出され、有底筒状部６ａの中心に支軸２の挿通孔６ｃが穿設されてクラッチ係合片６ｂの内側が平面状で外周が円弧状に形成されている。円板状の抜け止めプレ−ト７は中心に支軸２の挿通孔７ａと、重合した一対の断面円弧状の係合片４ｐと一対のクラッチ係合片６ｂとの形状に一致する一対の突片係合孔７ｂが挿通孔７ａを挾んで形成されている。
重合した一対の断面円弧状の係合片４ｐと一対のクラッチ係合片６ｂを突片係合孔７ｂに挿通させて抜け止めプレ−ト７を支持部４ａに係合させた後、周溝４ｑにＯリング２２が嵌められることで、支持部４ａの収納室４ｋ内に軸受１５とカラ−２１と軸受１６とクラッチ係合部材６が抜け止めされている。
【００１９】
クラッチ係合部材６の一対のクラッチ係合片６ｂの間にはピニオン３のクラッチ係合部３ｃが着脱自在に係合される。
【００２０】
魚釣用片軸受型リ−ルの動作は、クラッチ係合部３ｃと一対のクラッチ係合片６ｂが係合されたクラッチＯＮ状態でスプ−ル４に図示しない釣糸が巻回される方向にハンドル１１が回転されると、ハンドル軸１０、駆動歯車１２、ピニオン３、クラッチ係合部３ｃ、一対のクラッチ係合片６ｂを介してスプ−ル４が回転される。
クラッチレバ−２０が押し下げられると、クラッチプレ−ト１７が後退されてクラッチ係合部３ｃと一対のクラッチ係合片６ｂの係合が解除されてクラッチＯＦＦ状態となってスプ−ル４がフリ−回転となる。
スプ−ル４がフリ−回転の状態でハンドル１１が回転されると、クラッチ復帰体１３の回転でクラッチ係合部３ｃと一対のクラッチ係合片６ｂが係合されてクラッチＯＮ状態に復帰される。
【００２１】
魚の引きで釣糸がスプ−ル４から繰り出される時は、平滑面状のスプ−ル側部４ｄの弱制動部αに指を当てて制動が掛けられる。
強い制動が必要な時は、外周の凹凸による強制動部βへ指を移行させて強い制動が掛けられる。
【００２２】
前記のように魚釣用片軸受型リ−ルが構成されると、魚が掛かった際などのスプ−ル４の釣糸繰出し方向への回転時に制動力を付与する際は、スプ−ル側部４ｄの平滑面状の弱制動部αで制動することで、繊細な仕掛の糸切れを防ぎ、魚の取り込みの際など、スプ−ル４を係止する必要がある時には外周の凹凸部で強制動を行うことが出来ると言ったように、実釣時における様々な状況に対応させることが可能となる。
【００２３】
図８は第２実施例で、図８は魚釣用片軸受型リ−ルの正面図である。
【００２４】
第２実施例では、スプ−ル側部４ｄの外周近傍に、他の側部より摩擦係数を高める複数の小孔４ｒからなる制動部γが穿設されている。
他の構成は前記第１実施例と略同一である。
【００２５】
第２実施例のように魚釣用片軸受型リ−ルが構成されると、スプ−ル側部４ｄの外周近傍に、他部より摩擦係数を高める複数の小孔４ｒからなる制動部γを形成かることで、実釣時におけるスプ−ル４の釣糸繰出し回転に、異なる制動力を付与することが出来るので、魚の引きの強さに応じて制動力を調節できるので、操作の幅を持たせることが可能となる。
【００２６】
図９は第３実施例で、図９は魚釣用片軸受型リ−ルの正面図である。
【００２７】
第３実施例では、スプ−ル側部４ｄの外周近傍に、他の側部より摩擦係数を高める複数の摩擦シ−ル２８が貼着されて制動部δが構成されている。
他の構成は前記第１実施例と略同一である。
【００２８】
図１０は第４実施例で、図１０は魚釣用片軸受型リ−ルの正面図である。
【００２９】
第４実施例では、スプ−ル側部４ｄの外周近傍に、他の側部より摩擦係数を高める複数の摩擦シ−ル２９が貼着されて制動部εが構成されている。
他の構成は前記第１実施例と略同一である。
【００３０】
前記のようにスプ−ル４を前側の押しボタン８を内方へ押圧操作することで支軸２から簡単に取り外せるようになっていると、釣り場の状況（例えば実釣時において実際に釣れる魚の平均サイズなど）に応じて、前記第１実施例のスプ−ルと第２〜４実施例のスプ−ルとを適宜選択して、即座にスプ−ルを変更できるので、対応幅や選択肢が多くなり、様々な状況に対応できる。
【００３１】
前記の第１〜４の各実施例は、何れもスプール軸に回転可能に支持されたスプールを駆動歯車を介してハンドルにて駆動し、クラッチ機構を用いてスプールフリー状態とする方式の片軸受型リールを用いて説明を行なってきたが、前記の方式の片軸受型リールのみに実施が限定されるものではなく、例えば、図示しないリール本体のスプール軸に回転可能に支持されたスプールの側部に直接ハンドルが支持された直結型の片軸受型リールに、本発明の如く弱制動部と凹凸形状の強制動部を併設する構成を用いても、前記各実施例と同様の効果を得ることが可能である。
【００３２】
【発明の効果】
本発明は、以上説明したような形態で実施され、以下に記載されるような効果を奏する。
【００３３】
請求項１により、魚が掛かった際などのスプ−ルの釣糸繰出し方向への回転時に制動力を付与する際は、スプ−ル側部の平滑面状の弱制動部で制動することで、繊細な仕掛の糸切れを防ぎ、魚の取り込みの際など、スプ−ルを係止する必要がある時には外周の凹凸部で強制動を行うことが出来ると言ったように、実釣時における様々な状況に対応させることが可能となる。
【００３４】
請求項２により、スプ−ル側部の外周近傍に、他の側部より摩擦係数を高める複数の小孔からなる制動部を形成することで、実釣時におけるスプ−ルの釣糸繰出し回転に、異なる制動力を付与することが出来るので、魚の引きの強さに応じて制動力を調節できるので、操作の幅を持たせることが可能となる。
請求項３により、スプ−ルを前側の押しボタンを内方へ押圧操作することで支軸から簡単に取り外せるようになっていると、釣り場の状況（例えば実釣時において実際に釣れる魚の平均サイズなど）に応じて、前記第１実施例のスプ−ルと第２〜４実施例のスプ−ルとを適宜選択して、即座にスプ−ルを変更できるので、対応幅や選択肢が多くなり、様々な状況に対応できる。
【図面の簡単な説明】
【図１】第１実施例で、魚釣用片軸受型リ−ルの正面図である。
【図２】同魚釣用片軸受型リ−ルの断面側面図である。
【図３】同魚釣用片軸受型リ−ルの分解断面側面図である。
【図４】同魚釣用片軸受型リ−ルのスプ−ルを取り外し支持体を一部断面にした断面正面図である。
【図５】同魚釣用片軸受型リ−ルのリ−ル本体側の要部断面平面図である。
【図６】同スプ−ルの軸受部分の分解斜視図である。
【図７】同魚釣用片軸受型リ−ルのスプ−ルを取り外した要部断面正面図である。
【図８】第２実施例で、魚釣用片軸受型リ−ルの正面図である。
【図９】第３実施例で、魚釣用片軸受型リ−ルの正面図である。
【図１０】第４実施例で、魚釣用片軸受型リ−ルの正面図である。
【符号の説明】
１　リ−ル本体
２　支軸
４　スプ−ル
４ｄ　スプ−ル側部
α　弱制動部
β　強制動部
γ、δ、ε　他の側部より摩擦係数を高めた制動部
【図１】
2004065066.tif 000003
【図２】
2004065066.tif 000004
【図３】
2004065066.tif 000005
【図４】
2004065066.tif 000006
【図５】
2004065066.tif 000007
【図６】
2004065066.tif 000008
【図７】
2004065066.tif 000009
【図８】
2004065066.tif 000010
【図９】
2004065066.tif 000011
【図１０】
2004065066.tif 000012